(57)【要約】  【課題】  汚れが付着しにくく、良好な衛生状態を長期間に渡って維持することのできる便座を提供する。  【解決手段】  便座底板１は便座２の底面部分を構成する部材であり、便座２と一体化されるものであり、腰掛け式の便器３上に倒伏および起立可能に載置して使用される。便座底板１においては、ポリプロピレン樹脂などで形成された板リング形状の底板本体５の底面５ａに複数の緩衝用突起６が凸設され、各緩衝用突起６は、底板本体５の底面５ａから長円錐台形状に突出した複数の台座部５ｂと、各台座部５ｂの頂上面５ｃに付設された弾力性を有するゴム製の緩衝材７とで構成され、底板本体５の底面５ａ、台座部５ｂの側面の露出面が全面的に撥水層８で被覆されている。【選択図】        図１
2005102796.tif 000002
【特許請求の範囲】
【請求項１】
便器と当接する緩衝用突起を有し便座の底部を構成する便座底板と便座本体からなる便座であって、便座の下面に固着される底板本体と前記底板本体の底面に突設された錐台形状の台座部の側面とを被覆する撥水層とを備えたことを特徴とする便座。
【請求項２】
前記撥水層を塗装により形成したことを特徴とする請求項１記載の便座。
【請求項３】
前記塗料が、シリコーン系、フッ素系の塗料であることを特徴とする請求項１又は２記載の便座。
【発明の詳細な説明】
【技術分野】
【０００１】
本発明は、洋式便所などに設置されている腰掛け式便器に倒伏および起立可能に取り付けられている便座に関する。
【背景技術】
【０００２】
洋式便所などに配置されている腰掛け式便器には、便器上面を覆うため便蓋と同様に倒伏および起立可能な便座が備えられ、この便座の底面部分、即ち、倒伏時に便器の上縁部と対向する部分を構成する便座底板として、例えば、図３，図４に示すようなものがある。図７は従来の便座底板を示す底面図、図４は図３における断面Ｂ−Ｂである。
【０００３】
図３，図４に示すように、従来の便座底板９０は、便座９４の底面部分を構成する部材であり、便座９４と一体化されて腰掛け式の便器９１上に載置して使用されるものである。便座底板９０においては、ポリプロピレン樹脂などで形成された板リング形状の底板本体９２の底面９２ａに複数の緩衝用突起９５が凸設され、緩衝用突起９５は、底板本体９２の底面９２ａから突出した複数の台座部９２ｂと、それぞれの台座部９２ｂの頂上面９２ｃに付設されたゴム製の緩衝材９３とで構成されている。緩衝用突起９５は、便器９１上に倒伏させたときの衝撃を緩和するとともに、使用者が便座９４に座る際にクッション性をもたせることができる。
【０００４】
便座９４を使用しているとき、便座底板９０は便器９１の直上に位置しているので、その底面９２ａなどには尿の飛沫や水洗水あるいは局部洗浄装置からの吐出水などが付着して汚れ易い部分である。また、一旦、底面９２ａなどに付着した汚れは時間の経過と共に落ちにくくなるので、外観性が悪化するだけでなく、不衛生である。
また、従来の便座底板９０の問題点として、便器内からの汚物の跳ね返りによる汚物付着、男性小便時の尿付着など、衛生面に関することが挙げられる。
【０００５】
これらの対処策として、撥水層を有するフィルムを付与して付着汚れを落としやすくし、衛生性を保つ方法がある（例えば、特許文献１参照）。
【０００６】
しかしながら、この方法では、便座底板に突出した複数の台座部形状に追従することが難しかった。追従させると予め形状を作成するプリフォームの工程が必要であり、工程が多いだけでなく、プリフォーム用の真空型が必要など、製造上の問題があった。
【特許文献１】特開２００３−０９３２７１号公報
【発明の開示】
【発明が解決しようとする課題】
【０００７】
本発明は、上記問題を解決するためになされたもので、本発明の課題は、汚れが付着しにくく、良好な衛生状態を長期間に渡って維持することのできる便座を提供することにある。
【課題を解決するための手段】
【０００８】
上記目的を達成するために請求項１記載の発明によれば、便器と当接する緩衝用突起を有し、これと便座底部の底板本体から構成される便座であって、便座の下面に固着される底板本体と、前記底板本体の底面に突設された台座部の側面を撥水層で被覆した。こうすることで、底面に付着した汚れが玉状になって広がりにくく、容易に拭き取ることが可能になった。また、台座部につく緩衝材には撥水層を設けないため、使用時、便器との接触において便座が横滑りすることがない。
【０００９】
上記目的を達成するために請求項２記載の発明によれば、底板への撥水層付与を塗装により形成した。こうすることで、塗装の工程のみで撥水層を付与することができる。
【００１０】
上記目的を達成するために請求項３の発明によれば、撥水塗料をシリコーン系もしくはフッ素系とした。こうすることにより、表面エネルギー値が被塗装体より低くなるため汚物が付着したとしても除去しやすくなる。
【発明の効果】
【００１１】
本発明によれば、便座の下面に固着される底板本体と、前記底板本体の底面に突設された台座部の側面を被覆する撥水層とを備えたことにより、汚れが付着しにくく、良好な衛生状態を長期間に渡って維持することができるようになる。
また、前記撥水層を塗装で形成することにより、比較的肉厚で耐久性に優れた撥水層を形成することが可能となるほか、表面硬度が上がるため、清掃時の傷付きを防止し、傷中への汚れの侵入を防ぐという効果が得られる。
【発明を実施するための最良の形態】
【００１２】
図１は本発明の実施の形態である便座底板を示す底面図である。図２は図１における断面Ａ−Ａを示す。
本実施形態の便座底板１は便座２の底面部分を構成する部材であり、便座２と一体化されるものであり、従来の便座底板９０と同様、腰掛け式の便器３上に倒伏および起立可能に載置して使用される。便座底板１においては、ポリプロピレン樹脂などで形成された板リング形状の底板本体５の底面５ａに複数の緩衝用突起６が凸設され、各緩衝用突起６は、底板本体５の底面５ａから突出した複数の台座部５ｂと、各台座部５ｂの頂上面５ｃに付設された弾力性を有するゴム製の緩衝材７とで構成され、底板本体５の底面５ａ、台座部５ｂの側面が全面的に撥水層８で被覆されている。緩衝用突起６は、便座底板１が便座２とともに便器３上に倒伏したときの衝撃を緩和する機能と、使用者が便座２に座る際にクッション機能を備えている。
【００１３】
便座２を使用しているとき、便座底板１は便器３の直上に位置しているので、尿の飛沫や水洗水あるいは局部洗浄装置からの吐出水などがかかり易いが、便座底板１においては、底板本体５の底面５ａ、台座部５ｂの側面が全て撥水層８で被覆されているので汚れが付着しにくく、良好な衛生状態を長期間に渡って維持することができる。
【００１４】
便座底板１では、撥水層８を塗装で形成しているため、比較的肉厚で耐久性に優れた撥水層８を形成することが可能であり、また、塗膜が硬い場合、清掃時など傷が入りにくいという優れた効果が得られた。
【００１５】
便座底板１へ塗布する撥水層を形成する塗料は、シリコーン系、フッ素系の塗料であることが好ましく、これらの表面エネルギーは一般に１０ｄｙｎｅ／ｃｍ以上，２８ｄｙｎｅ／ｃｍ未満の値を示す。シリコーン系もしくはフッ素系の塗料で塗装することにより、基材の表面自由エネルギーに関わらず、表面自由エネルギーの小さい表面を形成することができ、汚れの濡れ性を低下させ、汚れの付着力を減少させることができる。また、水垢汚れ等のように基材への密着力が強く、除去の困難な汚れを容易に除去する事ができる。
【００１６】
シリコーン系として代表的なものは、例えばメチルフェニルシリコーンレジン、ジフェニルシリコーンレジン等のシリコーンレジン、およびそれらの変性樹脂としてアルキッド変性、ポリエステル変性、エポキシ変性、アクリル変性、フェノール変性、ウレタン変性、メラミン変性等の変性シリコーンレジン等があげられるがこれらに限定されるものではない。
【００１７】
また、フッ素系として代表的なものは、ポリテトラフルオロエチレン(PTFE)、パーフルオロエチレンプロペンコポリマー(PFEP)、パーフルオロアルコキシアルカン(PFA)、ポリクロロトリフルオロエチレン(PCTFE)、ポリビニリデンフルオライド(PVDF)、ポリビニルフルオライド(PVF)、エチレン−テトラフルオロエチレンコポリマー(ETFE)、ポリクロロトリフルオロエチレン（ECTFE）、ポリテトラフルオロエチレン−パーフルオロジオキソールコポリマー（TFE/PDD）が挙げられる。
【００１８】
これらの塗料を用いて便座底板１へ撥水層を形成する塗料を塗布する方法は、特に限定されるものではなく、たとえば、刷毛塗り、スプレー、浸漬（ディッピング）、ロール、フロー、カーテン、ナイフコート、スピンコート等の通常の各種塗布方法を選択することができる。尚、塗布は、製品面全面に均一に塗布してもよいし、製品面で、低表面自由エネルギーを有する表面層による汚れの付着力を減少させる効果が、特に必要な任意部分にのみ塗布してもよい。
【００１９】
塗料の塗膜の硬化方法については、公知の方法を用いればよく、特に限定はされない。また、硬化の際の温度も特に限定はされず、所望される硬化被膜性能や、基材の耐熱性等に応じて常温〜加熱温度の広い範囲をとることができる。 
【００２０】
塗膜の厚みは、特に制限はなく、たとえば、０．１〜１００μｍ程度であればよいが、塗膜の各種機能をより効果的に発揮させるとともに、塗膜が長期的に安定に密着、保持され、かつ、クラックや剥離が発生しないためには、１０〜８０μｍが好ましく、２０〜６０μｍがより好ましい。
【００２１】
なお、塗膜が１００μｍ以上形成された場合は、優れた防汚性が発揮されるが、塗装ムラの発生など外観がわるくなるという欠点をもつ。また、塗料の使用量も多くなる。
【００２２】
さらに便座本体へ同様の塗装を施せば、優れた防汚性が付与されるだけでなく、表面硬度も高くなり、傷が付きにくくなるなどの効果も得られる。
【００２３】
以上から、本発明によれば、便座の下面に固着される底板本体と、前記底板本体の底面に突設された長円錐台形状の台座部の側面を被覆する撥水層とを備えたことにより、汚れが付着しにくく、良好な衛生状態を長期間に渡って維持することができるようになる。
また、前記撥水層を塗装で形成することにより、比較的肉厚で耐久性に優れた撥水層を形成することが可能となるほか、表面硬度が上がるため、清掃時の傷付きを防止し、傷中への汚れの侵入を防ぐという効果が得られる。
【図面の簡単な説明】
【００２４】
【図１】本発明の実施の形態である便座底板を示す底面図である。
【図２】図１における断面Ａ−Ａである。
【図３】従来の便座底板を示す平面図である。
【図４】図３における断面Ｂ−Ｂである。
【符号の説明】
【００２５】
１…便座底板
２…便座
３…便器
５…底板本体
５ａ…底面
５ｂ…台座部
５ｃ…頂上面
６…緩衝用突起
７…緩衝材
８…撥水層
【図１】
2005102796.tif 000003
【図２】
2005102796.tif 000004
【図３】
2005102796.tif 000005
【図４】
2005102796.tif 000006